(57)【特許請求の範囲】
【請求項１】
シート束を載置する紙載台と、
上記紙載台上のシート束を所定の切断線に沿って切断する可動切断刃と、
上記可動切断刃を上下動可能に支持する装置フレームと、
上記可動切断刃を上記紙載台上のシートを切断する切断位置とシート上方に離間した待機位置との間で上下動する駆動手段と、
上記可動切断刃の上下動に連動して上記紙載台上のシート束を押圧する加圧部材と、
を備え、
上記加圧部材と上記可動切断刃とは、
加圧部材は、装置フレームに一端を支持された加圧スプリングで常時紙載台上のシート束を押圧する下降方向に付勢され、
可動切断刃は、上記駆動手段によって切断位置から待機位置に上昇する動作で加圧部材を加圧スプリングに抗してシート束から離間する上昇方向に移動する、
ように連動され、
上記駆動手段は、
上記装置フレームに配置され、上記可動切断刃を上下動するように連結した少なくとも１つの駆動回転部材と、
この駆動回転部材に回転運動を生起する駆動モータと、
この駆動モータを制御する駆動制御手段と、
で構成され、
上記駆動制御手段は、
上記可動切断刃を、上記紙載台上のシート束から上方に離間した待機位置で上記駆動モータを停止して待機させるように構成され、
上記駆動モータと上記可動切断刃との間には、
上記加圧スプリングに抗して上記待機位置に位置する可動切断刃がバネ力で下方に降下するのを阻止する運動規制手段が配置されていることを特徴とする紙葉類断裁装置。
【請求項２】
前記運動規制手段は、
前記駆動回転部材に配置された回転係止爪か、
または、前記駆動回転部材に配置された一方向回転クラッチか、
または、前記駆動回転部材に配置された制動部材で、
構成されていることを特徴とする請求項１に記載の紙葉類断裁装置。
【請求項３】
前記装置フレームは、
前記紙載台上の紙葉面に対して略直交する方向に配置されたベースプレートと、
上記ベースプレートと所定の間隔を隔てて対向配置された押さえ部材と、
を備え、
前記加圧部材と前記可動切断刃とは、上記ベースプレートと押さえ部材との間に前記紙載台上の紙葉面に対して直交する方向に移動可能に支持されていることを特徴とする請求項１に記載の紙葉類断裁装置。
【請求項４】
前記駆動回転部材は、前記装置フレームに配置された回転軸と、この回転軸に連結されたアーム部材又は偏心カム部材で構成されていることを特徴とする請求項１に記載の紙葉類断裁装置。
【請求項５】
前記可動切断刃は、前記駆動回転部材に連結されこの駆動回転部材の上死点と下死点との間で上下動するように構成され、
前記加圧部材は、上記可動切断刃の上下動に連動して上下動するように構成され、
前記加圧部材の待機位置は、上記駆動回転部材の上死点から回転方向手前側に所定角度変位した位置に設定され、
前記運動規制部材はこの待機位置で上記駆動回転部材の逆転を阻止するように配置されていることを特徴とする請求項１に記載の紙葉類断裁装置。
【請求項６】
前記駆動制御手段は前記駆動モータを制御する際に、
前記駆動回転部材が上死点から回転方向手前側に所定角度変位した待機位置でこの駆動回転部材を一時的に停止して前記可動切断刃と前記加圧部材を前記紙載台の上方に待機させ、
前記紙載台上にシート束がセットされた後、
上記駆動回転部材を上死点から下死点に回転させて上記加圧部材が上記紙載台上のシート束を押圧支持し、次いで上記可動切断刃がシート束を切断するように構成されていることを特徴とする請求項５に記載の紙葉類断裁装置。
【請求項７】
前記可動切断刃は、前記紙載台上のシート束を一端から他端に向かって徐々に切断するように上下断裁方向に所定角度傾斜した刃先を備え、
前記紙載台には上記可動切断刃と摺接する平板形状の固定切断刃が設けられると共に切断線と直交する紙面方向に位置移動可能に構成され、
上記可動切断刃と固定切断刃の刃先は、切断線方向で互いが交差するように一方が他方に対して所定角度傾斜して対向配置され、
上記固定切断刃は上記可動切断刃の下降動作で切断線と直交する紙面方向に位置移動することを特徴とする請求項１に記載の紙葉類断裁装置。
【請求項８】
前記紙載台または前記固定切断刃には、この固定切断刃を前記可動切断刃に弾圧する付勢手段が設けられていることを特徴とする請求項７に記載の紙葉類断裁装置。
【発明の詳細な説明】
【技術分野】
【０００１】
本発明は、紙載台上にセットした紙葉類を断裁する断裁装置に係わり、例えば画像形成装置などで画像形成されたシートを束状に部揃えし、これを予め設定された切断線で断裁する断裁装置の改良に関する。
【背景技術】
【０００２】
一般にこの種の断裁装置は、紙葉類を紙載台上にセットしてその所定個所を断裁する装置として広く使用されている。例えばプリンタ装置などから搬出されるシートを束状に部揃えして製本綴じし、この製本綴じされた紙葉束の周縁を断裁揃えするトリミング装置、或いは画像形成装置からのシートを１／２、１／４などに半裁するカッティング装置として知られている。
【０００３】
従来、このような断裁装置としては例えば特許文献１に開示されているようにテーブル上に１枚のシートをセットしてこれを切断する断裁装置と、特許文献２に開示されているように多数枚のシートを束状にセットして一度に断裁する断裁装置が知られている。そして切断の方法としては特許文献１のようにシートの一端から他端に移動する切断刃（回転刃）で切断する場合と、特許文献２のように束状のシートの上方から平板状の切断刃（ギロチン刃）が下降する際に断裁するものがそれぞれ知られている。
【０００４】
そこで上記特許文献１のようにシートの一端から他端に１枚の切断刃（回転刃）を走行させて切断する機構にあっては、これで多数枚のシート束を一度に断裁すると切断刃に及ぶ剪断力が大きくなり、これに勝る力で切断刃を走行させると蛇行する問題が知られている。このため従来は１枚或いは少数枚のシートを切断する場合にこのような回転刃切断機構を採用している。従ってこのような装置で多数枚のシート束を断裁することは不可能とされている。
【０００５】
また、上記特許文献２のように多数枚のシート束をその厚さ方向に上下動する切断刃（ギロチン刃）で一度に断裁する場合には、切断位置に紙葉束を堅固に保持するプレス手段が必要となる。同文献には紙載台（回転テーブル）に載置した紙葉束を押圧保持する加圧部材（押さえ板）が設けられている。この加圧部材は紙葉面から上方に離間した待機位置と紙葉面を押圧する紙圧位置との間で上下動するように配置され、加圧装置（プレッシャシリンダ）で上下動するように構成されている。そしてこの加圧装置とは異なるカッタ駆動手段（カッタシリンダ）で切断刃を上方から下方に駆動する機構が開示されている。
【特許文献１】特開平１０−１３８１９４号公報
【特許文献２】特開２００３−７１７８０号公報
【発明の開示】
【発明が解決しようとする課題】
【０００６】
上述のように複数枚の紙葉類を紙載台上に載置支持してこれを断裁する場合に、紙葉束を押圧保持する加圧機構と、この紙葉束を切断する切断機構は、従来、前掲特許文献２のようにそれぞれ異なる駆動装置で紙載台上の紙葉に対して上下動するように構成されている。つまり紙葉束を押圧する加圧部材（例えば加圧板）は、これを上下動する加圧駆動手段（モータ、油圧シリンダなど）を備え、また紙葉束を切断する切断刃は、これを上下動する切断駆動手段を備えている。
【０００７】
このように紙載台上の紙葉束に対して上下動する加圧部材と切断刃（可動切断刃）とはそれぞれ異なる駆動装置で駆動され、制御手段で作動タイミングを図っている。この為加圧部材で確実に押圧保持する前に、加圧不十分な状態で切断刃が紙葉の切断を開始することがあり、紙葉の位置ズレによる断裁不良を招くことがある。またこのように加圧部材と切断刃をそれぞれ異なる駆動装置で駆動すると駆動機構の大型化とコスト高となる問題が知られている。
【０００８】
そこで本発明者は加圧部材と切断刃を同一の駆動装置で駆動することによって装置の小型化と低コスト化を図った。その機構として本発明者は紙載台の上方に加圧部材を上下動可能に配置し、加圧スプリングで紙葉圧接方向に付勢した加圧部材を、切断刃の上下動に連動して紙葉面から離間した上方に退避させることを案出するに至った。
【０００９】
この場合、紙載台上の紙葉に対して切断刃の上下ストロークを加圧部材の上下ストロークより大きく設定する。そこで切断刃の上昇動作に連動して加圧部材を付勢スプリングに抗して上昇させ、この切断刃と加圧部材が紙葉面から上方に離間した位置でこの両者を待機させる。そして切断刃と加圧部材を紙葉面の上方に待機させた状態で紙載台上に紙葉をセット或いは切断後の紙葉を搬出する。
【００１０】
このような機構の採用によって駆動装置の小型化と低コスト化を達成することが可能となるが付勢スプリングの作用のもとで加圧部材を紙葉面の上方に待機させると加圧部材或いはこれを連動して上昇させる切断刃がスプリングの力で下方に降下する問題が発生する。つまり待機位置で切断刃を駆動する駆動モータ（駆動装置）を停止するとその駆動力が作用しないため付勢スプリングの作用で加圧部材とこれを連動する切断刃が紙葉面側に不用意に降下する恐れがある。このため駆動モータを再起動して待機位置から下死点に向けて切断刃を駆動する際に、その作動位置が狂うこととなる。また切断ジャムなどが発生した際に可動切断刃を上方の待機位置に待機させても不用意に降下することがあるためジャム処理が非常に危険となる。
【００１１】
本発明は、紙載台上の紙葉束を断裁する際に、この紙葉束を押圧保持するプレス機構と紙葉束を切断するカッタ機構を、小型で安価に構成することが可能な紙葉類断裁装置の提供をその主な課題としている。
【課題を解決するための手段】
【００１２】
上記課題を達成するため本発明は、紙載台上のシートに対して装置フレームに上下動可能に支持した加圧部材と可動切断刃を駆動回転部材の回転で上死点と下死点との間で上下動するように構成する。そして加圧部材には常時のシートを押圧する方向に付勢する加圧スプリングを設け、この加圧スプリングに抗して加圧部材がシートから上方に離間した待機位置で待機するように駆動モータを停止する。そこでこの待機位置で加圧部材が加圧スプリングの作用で下方に降下するのを阻止する運動規制手段を駆動モータと加圧部材との間に配置したことを特徴としている。以下その構成を詳述する。
【００１３】
シート束を載置する紙載台と、この紙載台上のシート束を所定の切断線に沿って切断する可動切断刃と、上記可動切断刃を上下動可能に支持する装置フレームと、上記可動切断刃を上記紙載台上のシートを切断する切断位置とシート上方に離間した待機位置との間で上下動する駆動手段と、上記可動切断刃の上下動に連動して上記紙載台上のシート束を押圧する加圧部材とを備える。
そして加圧部材は、加圧スプリングで紙載台上のシート束を押圧する方向に付勢されていると共に、上記可動切断刃の切断位置から待機位置に移動する動作に連動してシート束から離間するように構成し、上記駆動手段は、上記装置フレームに配置され、上記可動切断刃を上下動するように連結した少なくとも1つの駆動回転部材と、この駆動回転部材に回転運動を生起する駆動モータと、この駆動モータを制御する駆動制御手段とで構成する。
また上記駆動制御手段は、上記可動切断刃を、上記紙載台上のシート束から上方に離間した待機位置で上記駆動モータを停止して待機させるように構成し、上記駆動モータと上記可動切断刃との間には、上記待機位置の可動切断刃が、上記加圧スプリングの作用で下方に降下するのを阻止する運動規制手段を配置する。
【００１４】
上記運動規制手段は、（１）上記駆動回転部材に配置された回転係止爪、又は（２）上記駆動回転部材に配置された一方向回転クラッチ、又は（３）上記駆動回転部材に配置された制動部材で構成する。
【００１５】
上記装置フレームを、上記紙載台上の紙葉面に対して略々直交する方向に配置されたベースプレートと、このベースプレートと所定の間隔を隔てて対向配置された押さえ部材で構成し、上記加圧部材と可動切断刃とを、このベースプレートと押さえ部材との間に紙載台上の紙葉面に対して直交する方向に上下動するように支持する。
【００１６】
上記駆動回転部材は、装置フレームに配置された回転軸と、この回転軸に連結されたアーム部材又は偏心カム部材で構成する。
【００１７】
上記可動切断刃は、駆動回転部材に連結してこの駆動回転部材の上死点と下死点との間で上下動するように構成する。また上記加圧部材は、可動切断刃の上下動に連動して上下動するように構成する。そこで加圧部材の待機位置を、上記駆動回転部材の上死点から回転方向手前側に所定角度変位した位置に設定する。そして上記運動規制部材を、この待機位置で駆動回転部材の逆転を阻止するように係合する。
【００１８】
上記駆動制御手段は駆動モータを制御する際に、駆動回転部材が上死点から回転方向手前側に所定角度変位した待機位置でこの駆動回転部材を一時的に停止して可動切断刃と加圧部材を紙載台の上方に待機させ、次いで紙載台上にシートがセットされた後、上記駆動回転部材を上死点から下死点に回転させて上記加圧部材が上記紙載台上のシートを押圧支持し、その後上記可動切断刃がシートを切断するように構成する。
【００１９】
上記可動切断刃は、紙載台上のシートを一端から他端に向かって徐々に切断するように上下断裁方向に所定角度傾斜した刃先を備え、上記紙載台にはこの可動切断刃と摺接する平板形状の固定切断刃を設けると共に切断線と直交する紙面方向に位置移動可能に構成する。そこで上記可動切断刃と固定切断刃の刃先は、切断線方向で互いが交差するように一方が他方に対して所定角度傾斜して対向配置する。この交差した状態で固定切断刃を、可動切断刃の下降動作で切断線と直交する紙面方向に位置移動するように構成する。
【００２０】
上記紙載台及び／又は固定切断刃に、この固定切断刃を可動切断刃に弾圧する付勢手段を設ける。
【発明の効果】
【００２１】
本発明は、紙載台上のシートに対して装置フレームに上下動可能に支持した加圧部材と可動切断刃を駆動回転部材の回転で上死点と下死点との間で上下動するように構成する。そして加圧部材には常時のシートを押圧する方向に付勢する加圧スプリングを設け、この加圧スプリングに抗して加圧部材がシートから上方に離間した待機位置で待機するように駆動回転部材の駆動モータを停止する。そこでこの待機位置で加圧部材が加圧スプリングの作用で下方に降下するのを阻止する運動規制手段を駆動モータと加圧部材との間に配置したものであるから次の効果を奏する。
【００２２】
紙載台上に上下動自在に配置された加圧部材と可動切断刃は、駆動回転部材の回転運動で両者が上下動することとなり、この駆動回転部材は単一の駆動モータで駆動回転するから従来の加圧部材と可動切断刃を個別の駆動装置（モータ、油圧機構など）で上下動するものに比べ、駆動装置を至って簡単な構造で小型軽量に構成することが出来る。
【００２３】
また、本発明は加圧部材を加圧スプリングで常時紙載台上のシートを押圧する構成にし、駆動回転部材の回転でバネの付勢力に抗して紙面上方の待機位置に運動規制手段で位置保持するようにしたものであるから、常時作用する加圧スプリングのバネ力によって加圧部材と可動切断刃が切断方向下方に降下することがない。従って紙載台上にシート（束）を給排送する際に紙詰まりが生じても加圧部材と可動切断刃は紙載台上方の待機位置に待機し、この位置に運動規制手段で保持されているからジャムシートの除去などの処理を安全に行うことが出来る。
【００２４】
更に本発明は、加圧部材の待機位置を駆動回転部材の上死点から回転方向手前側に所定角度変位した位置に設定し、この駆動回転部材にその逆転を禁止する運動規制部材を設けることによって、加圧部材と同時に可動切断刃を紙載台の上方に待機させることが出来る。これにより、加圧部材と可動切断刃を簡単な構造で確実にシート上方に待機させることが出来る。
【発明を実施するための最良の形態】
【００２５】
以下図示の好適な実施の態様に基づいて本発明を詳述する。図１は本発明に係わる紙葉束断裁装置（トリマーユニット）の全体構成を示す斜視図であり、図２はその正面図である。図３は図１の装置の背面図であり、図４は断裁縁プレス手段の構成説明図である。
【００２６】
図１に示す紙葉束断裁装置（トリマーユニット）Ａは、紙葉類Ｐを積載支持する紙載台１５と、この紙載台上に紙葉類Ｐを押圧保持するプレス手段２０と、紙葉類Ｐを所定の切断線ＣＬに沿って断裁する可動切断刃２５と、上記紙載台１５に一体的に備えられた固定切断刃２８とから構成されている。これらの紙載台１５とプレス手段２０と可動切断刃２５とは装置フレーム（後述のベースプレート）１０に取り付けられている。以下各構成について説明する。
【００２７】
［装置フレームの構成］
上記装置フレーム１０は紙載台１５と可動切断刃２５とプレス手段２０とを搭載し、紙葉類Ｐの切断に応じた機械的強度に例えば適宜厚さの鋼板で構成する。図１に示す装置フレーム１０は紙葉類Ｐの紙面と直交する方向（同図矢示Ｚ方向；鉛直方向）に配置された平板形状のベースプレートで構成されている。この平板状のベースプレート（装置フレーム）１０には紙葉類Ｐを給排送する断裁開口１２が設けられ、この断裁開口１２に後述する紙載台１５が直交する方向（同図矢示Ｙ方向）に配置される。またこのベースプレート１０にはその正面側に可動切断刃２５を支持する左右一対の駆動回転部材１３ｄ、１３ｆ（以下両者を総称するときには符号１３を用いる）が、その背面側にはこの一対の駆動回転部材１３を同期回転するための伝動チェーン２９が配置される（詳細は後述する）。
【００２８】
［紙載台の構成］
上述のベースプレート１０の断裁開口１２には固定切断刃２８を有する紙載台１５が取り付けられている。この紙載台１５は切断する紙葉（或いは紙葉束）を所定姿勢で保持するトレイなどの載置部材で構成される。その形状は紙葉類Ｐの全体を載置支持する形状であっても、図示のように紙葉類Ｐの断裁縁を部分的に支持する形状であっても、いずれの形状でも良い。図示の紙載台１５は、図４に示すように切断線ＣＬに沿って所定長さのビーム状部材で構成され、このビーム状部材には切断線ＣＬに沿う切断縁に固定切断刃２８が一体に取り付けられている。つまり図７に示すように紙載台１５には切断縁ＣＬに沿って段差部１５ｗが設けられ、この段差部１５ｗに板状の固定切断刃２８が埋設されている。この固定切断刃２８は炭素鋼、超硬合金、ステンレス鋼などの鋭靱な材料で構成されている。
【００２９】
上記紙載台１５には切断線ＣＬに沿って左右一対のガイド部材１７Ｒ、１７Ｌ（図４参照）がボルトなどで一体に取付けられている。この左右一対のガイド部材１７Ｒ、１７Ｌにはガイド溝１７ｇが形成され後述する加圧プレート２１を上下昇降自在に案内するように構成されている。
【００３０】
［固定切断刃の位置決め機構］
上述のように紙載台１５に一体に取付けられた固定切断刃２８はベースプレート１０とは分離して構成され、ベースプレート１０との間に配置した付勢手段１６で後述する可動切断刃２５に圧接されている。その構成を図７（断面図）と図８（分解図）に従って説明する。紙載台１５には固定切断刃２８と一対のガイド部材１７Ｒ，１７Ｌ（以下これらを「紙載台アセンブリー１５」）という）が一体に設けられている。そしてこの紙載台アセンブリー１５がベースプレート１０の断裁開口１２に断裁直交方向（図７矢示Ｙ方向）に位置移動可能に嵌合支持されている。また、上記ベースプレート１０に回転自在に軸承された駆動回転部材（駆動側）１３ｄ、（従動側）１３ｆには、可動切断刃２５が軸支持されている。この可動切断刃２５は刃受ホルダ２５ｈと刃先部材２５ｃで構成され、駆動回転部材１３の伝動ピン１３ｐに軸受スリーブ１３ｓを介して嵌合支持されている。
【００３１】
そこで上述のガイド部材１７Ｒ，１７Ｌと可動切断刃２５とは、ベースプレート１０と押さえ部材１９との間に挟持されている。前述のベースプレート１０には所定の間隔Ｌｄを隔てて押さえ部材１９（図示のものは左右一対のステー部材）がボルトなどで固定されている。このベースプレート１０と押さえ部材１９との間にガイド部材１７Ｒ、１７Ｌと可動切断刃２５が挟持されている（図７参照）。このときベースプレート１０とガイド部材１７Ｒ，１７Ｌとの間には圧縮バネで構成された付勢手段１６がガイド部材１７Ｒ，１７Ｌを可動切断刃２５に弾圧するように設けられている。従ってガイド部材１７Ｒ，１７Ｌと一体の固定切断刃２８は常時可動切断刃２５に弾圧付勢されることとなる。尚、この付勢手段１６は図示のバネに限らずスポンジ、ゴムなどの弾性部材から成るスペーサで構成しても良い。
【００３２】
また、上記ベースプレート１０と押さえ部材１９との間で上下切断方向に摺動する可動切断刃２５には図２に示すように潤滑性塗料２５ｑが切断刃側に塗布してある。この潤滑性塗料２５ｑによって可動切断刃２５は押さえ部材１９との間で円滑に摺動して上下動することとなる。
【００３３】
上述の構成において、上記ベースプレート１０と可動切断刃２５との間には加圧プレート２１が配置されている。図１０に示すようにベースプレート１０と可動切断刃２５との間には平板形状の加圧プレート２１が挟持され、この加圧プレート２１の下端面（後述の紙圧面）２１ｐは紙載台上の紙葉面を押圧支持する位置に配置されている。前述のガイド部材１７Ｒ、１７Ｌに形成されているガイド溝１７ｇは、この加圧プレート２１を上下動可能に支持している。そしてベースプレート１０には折曲片１０ｒが形成され、この折曲片１０ｒに加圧スプリング１８が嵌合され加圧プレート２１を図９（ｂ）下方に押圧付勢している。従ってベースプレート１０と可動切断刃２５との間に配置された加圧プレート２１は、その下端面（紙圧面）２１ｐが紙載台１５上の紙葉面を押圧するように構成されている。
【００３４】
上記加圧プレート２１の下端面（紙圧面）２１ｐは図７に示すようにＬ字状に折り曲げられ、紙葉類Ｐを紙載台１５との間で挟持するように紙圧面（下端面；以下同様）２１ｐが形成されている。このように加圧プレート２１は、その下端部に折曲げ形成された紙圧面２１ｐで確実に紙葉を押圧保持する。このため紙圧面２１ｐは高摩擦塗料でコーティングしてある。この摩擦塗料によって紙葉は位置ズレすることなく紙載台１５上に保持される。また、紙載台１５に一体的に取付けた固定切断刃２８にも上記加圧プレート２１の紙圧面２１ｐと対向する位置を高摩擦塗料でコーティングしてある。
【００３５】
尚、上述の加圧プレート２１は可動切断刃２５の上下動で紙載台１５の上方の紙葉面から離間した位置に退避する非作動位置（ホームポジション）と加圧スプリング１８の作用を受けて紙載台１５上の紙葉面を押圧する作動位置との間で上下動する。このため可動切断刃２５の上端フランジ部２５ｆと加圧プレート２１の係合片２１ｋとは互いに係合するように構成されている。従って可動切断刃２５と、これを上下動する駆動回転部材１３が加圧解除手段を構成している。
【００３６】
次に図９に示す動作状態説明図に従って固定切断刃２８と可動切断刃２５との関係を説明する。後述するように可動切断刃２５は、左右一対の駆動回転部材１３ｄ、１３ｆに支持され、その回転で紙載台１５に対して上下動する。そこでこの可動切断刃２５が紙載台上方に待機する同図（ａ）の状態では、この可動切断刃２５に連動する加圧プレート２１は非作動位置（待機位置）に待機している。この状態で紙載台１５上に紙葉類Ｐを挿入セットする。このとき紙載台１５と一体の固定切断刃２８は付勢手段１６のバネ力（弾性力）で可動切断刃２５に弾圧されている。つまり固定切断刃２８と一体のガイド部材１７Ｒ，１７Ｌは付勢手段１６（図示のものは圧縮スプリング）で可動切断刃２５の刃受ホルダ２５ｈに弾圧され、可動切断刃２５と固定切断刃２８とは互いに緊密に摺接する位置に位置決めされる。
【００３７】
そこで紙載台１５上に紙葉類Ｐを給送セットした後、駆動回転部材１３を所定方向に回転すると可動切断刃２５は上死点ｐ１から下方に降下する。この可動切断刃２５が所定量降下すると加圧プレート２１も紙葉面に向かって降下し、可動切断刃２５の上端フランジ部２５ｆが加圧プレート２１の係合片２１ｋから離れる。すると加圧スプリング１８の作用で加圧プレート２１の下端面（紙圧面）２１ｐが紙葉面を押圧する。この状態を図９（ｂ）に示すが、加圧プレート２１は紙載台１５を上方から加圧スプリング１８の作用で押圧する。従って紙載台１５に備えられた固定切断刃２８は、付勢手段１６で可動切断刃２５に摺接する位置に位置決めされ、この状態で加圧プレート２１によって位置保持されることとなる。そこで可動切断刃２５で紙葉類Ｐを切断する際に、その剪断力で図示矢印方向の力が作用しても固定切断刃２８が逃げることがない。これにより固定刃を切断刃側に付勢する加圧スプリングの付勢力を小さく設定することができ装置を小型化することが可能となる。
【００３８】
尚上述の加圧プレート２１に作用する加圧スプリング１８と、固定切断刃２８に作用する付勢手段１６のバネ力は加圧スプリング側が大きくなるように設定してある。つまり固定切断刃２８は加圧プレート２１が非作動位置のときには、付勢手段１６のバネ力（弾性力）で可動切断刃２５と当接する位置に移動するが、加圧プレート２１が作動位置のときには加圧スプリング１８の作用でその位置に保持され、容易に移動しないようにバネ力が設定されている。
【００３９】
［可動切断刃の構成］
可動切断刃２５は図１に示すように平板形状の刃先部材２５ｃと刃受ホルダ２５ｈで構成されている。刃受ホルダ２５ｈは紙葉束の断裁によって生ずる抗力に耐え得る機械的強度を有する部材で構成され、その下端縁には刃先部材２５ｃを装着する凹陥溝２５ｗが形成されている。図示２５ｂは補強用のステーであり、切断線ＣＬに沿って刃受ホルダ２５ｈに一体に固定されている。上記凹陥溝２５ｗには刃先部材２５ｃが接着テープなどで添着されている。この刃先部材２５ｃは紙葉類Ｐを一端から他端に徐々に切断するように切断線ＣＬ方向に所定角度傾斜させてある。図示の刃先部材２５ｃは図５（ｂ）に示す角度αを３度以上１５度以下の範囲で傾斜させてある。
【００４０】
［可動切断刃の駆動機構］
上述した可動切断刃２５の上下動機構を図２、図３及び図４Ａに従って説明する。前述しようにベースプレート１０には切断線ＣＬに沿って距離を隔てた位置に一対の駆動回転部材１３ｄ，１３ｆが配置されている。この駆動回転部材１３は図４Ａに示すように切断線ＣＬ方向に距離Ｌを隔てた位置に一対の回転軸１３ｘ、１３ｙがベースプレート１０に軸受け支持されている。この左右一対の回転軸１３ｘ、１３ｙにアーム部材、偏心カムなどの駆動回転部材１３ｄ、１３ｆが固定されている。この各駆動回転部材１３には回転軸１３ｘ、１３ｙと異なる位置に伝動ピン（カムフォロアであっても良い）１３ｐが設けられ、この伝動ピン１３ｐに可動切断刃２５が軸承されている。従ってこの左右一対の駆動回転部材１３ｄ、１３ｆを、回転軸１３ｘ、１３ｙを中心に回転すると可動切断刃２５はベースプレート１０に沿って円弧を描きながら上下動することとなる。
【００４１】
上記各駆動回転部材１３ｄ，１３ｆの回転軸１３ｘ，１３ｙには図３に示すように駆動モータＭが連結されている。ベースプレート１０の背面側には回転軸１３ｘ、１３ｙと一体にスプロケット３０が設けられ、左右のスプロケット３０ａ，３０ｂには伝動チェーン２９が架け渡されている。そして駆動側に位置する駆動回転部材１３ｄのスプロケット３０ａに減速ギア３１を介して駆動モータＭが連結されている。
【００４２】
次に図５に示す駆動回転部材１３ｄ、１３ｆと可動切断刃２５との連結関係について説明する。上述のように左右一対の駆動回転部材１３ｄ、１３ｆは駆動モータＭの回転で両者が同期して同一角速度で回転することとなる。図５（ａ）に示すようにこの左右一対の駆動回転部材１３ｄ、１３ｆは、同図に示すホームポジション（待機位置）ＰＳから反時計方向に回転し上死点Ｐ１、プレス開始点Ｐ２、切断開始点Ｐ３、変曲点Ｐ４、切断終了点Ｐｅ、プレス終了点Ｐ６の順に回転する。つまり加圧プレート２１と可動切断刃２５が紙載台１５の上方に退避した位置に待機し、この位置がホームポジションＰＳに設定されている。この両者がホームポジションに待機した状態で紙載台１５にシート束を給送セット或いは断裁処理後のシート束を搬出する（この状態を図４Ｂ（ａ）に示す）。そして駆動回転部材１３は上死点Ｐ１を通過して図示反時計方向に回転すると、これに連動して加圧プレート２１と可動切断刃２５は紙載台１５上のシート束に向かって徐々に降下する。するとプレス開始点Ｐ２で加圧プレート２１の紙圧面２１ｐがシート束の紙面を押圧する。この駆動回転部材１３が上死点Ｐ１を通過する状態を図４Ｂ（ｂ）に、加圧プレート２１がシート束の紙面を押圧する状態を図４Ｂ（ｃ）に示す。
【００４３】
次いで駆動回転部材１３が更に回転し、変曲点Ｐ４に至ると加圧プレート２１は加圧スプリング１８の作用で確実に紙葉面を押圧する。この変曲点Ｐ４の前後（図示のものは変曲点Ｐ４とほぼ一致する回転角度）で切断開始点Ｐ３に達する。そして可動切断刃２５はその刃先が傾斜角度αで傾斜しているため、紙載台１５上のシート束を一端から他端に徐々に切断する。この切断開始時の状態を図４Ｃ（ｄ）に示す。このとき加圧プレート２１は可動切断刃２５と離れて紙葉面を押圧する位置に留まる。次に駆動回転部材１３が下死点Ｐ５の手前側の切断終了点Ｐｅに至ると可動切断刃２５は紙載台１５上のシート束を完全に切断し切断終了する（この状態を図４Ｃ（ｅ）に示す）。次いで駆動回転部材１３が下死点Ｐ５を通過して待機位置（ホームポジション）ＰＳの手前近傍に達すると可動切断刃２５の上昇に連動して加圧プレート２１は紙載台１５上の紙葉面から上方に離れ、その加圧力が解除される（この状態を図４Ｃ（ｆ）に示す）。
【００４４】
また、図示の装置は駆動モータＭに連結した駆動側の回転軸１３ｘと、この回転軸１３ｘに伝動チェーン２９で連結した従動側の回転軸１３ｙを相互に位相差θを形成するように連動させてある。つまり駆動側の回転軸１３ｘの駆動回転部材１３ｄに対して、従動側の回転軸１３ｙの駆動回転部材１３ｆを図５（ａ）に示す角度θだけ遅らせて回転するように構成してある。この位相差（角度θ）によって可動切断刃２５と紙葉面との傾斜角度α（剪断角度）は、図５（ｂ）の待機状態の角度α１と図６（ａ）の剪断開始状態の角度α２とでは、後者の角度が大きく（α１＜α２）なる。従って可動切断刃２５の上下ストロークを大きくすることなく（装置を大型化することなく）紙葉を切断する剪断角度を大きくすることが可能となる。そして紙葉切断の進行に伴って図６（ｂ）の切断途中のときの角度α３と同図（ｃ）の切断終了時のときの角度α４とは略々切断開始時の角度α１と同一となる（α１≒α３≒α４）。
【００４５】
上述のように駆動側の回転軸１３ｘと従動側の回転軸１３ｙを同一周速度で回転し、これに取付けた駆動側の駆動回転部材１３ｄと従動側の駆動回転部材１３ｆとの間に位相差（角度θ）が形成されている。この関係で駆動側と従動側の少なくとも一方は可動切断刃２５と駆動回転部材１３とを上下断裁方向と直交する方向に遊動自在に連結する必要が生ずる（この遊動がないと２つの駆動回転部材は互いに緩衝してその運動がロックされる）。そこで図示のものは従動側の駆動回転部材１３ｆと可動切断刃２５とを長孔１１（図２参照）で遊動可能に嵌合支持してある。
【００４６】
また上述の可動切断刃２５は、紙葉類Ｐを切断するために上方から下方に下降するとき、この可動切断刃２５を切断線ＣＬ方向に移動しながら切断するように構成されている。この可動切断刃２５は切断開始時と切断終了時とでは移動方向が反転するようになっている。つまり可動切断刃２５は図５（ｂ）に示すように駆動側の駆動回転部材１３ｄが上死点に位置する図示Ｐ１で待機し、反時計方向に所定角度回転した図示Ｐ２で加圧プレート２１が紙葉面を押圧する。そして図示Ｐ３で切断を開始し、図示Ｐ５（下死点）で断裁を終了するように構成されている。
【００４７】
従って、回転軸１３ｘ、１３ｙを中心に旋回動する可動切断刃２５は円弧軌跡の上死点Ｐ１と変曲点Ｐ４との間で紙葉束の切断を開始し、この変曲点Ｐ４を超えた下死点Ｐ５で切断が終了するように設定されている。このように許容最大紙葉束の切断開始点を上死点Ｐ１と変曲点Ｐ４の間に設定してあるから可動切断刃２５は待機位置から切断位置に下降する際に切断線ＣＬ方向にまず左側に移動し、次いで（変曲点Ｐ４を超えた後）右側に移動することとなる。これによって可動切断刃２５の刃先は切断開始時には紙載台１５上の紙葉束を左側に移動しながら下降し、変曲点Ｐ４を超えた後は、刃先が右側に移動しながら下降して紙葉束を切断することとなる。
【００４８】
このように可動切断刃２５は、切断開始時には前方（図４Ａ左側）に移動しながら紙葉束内に押しながら進入するので軟弱な紙葉束であっても切り込み深さを確保することが出来る。また、切断終了時には可動切断刃２５は図４Ａ右側に移動しながら切り終るので切断面が乱れることがない。この可動切断刃２５による紙葉類Ｐの切断は、例えば柔らかい軟弱な素材を平刃形状のナイフ刃で切断するとき、切断開始時には刃先を前方に押しながら切断すると深さ方向に切り込み易く、逆に切り終わるときには刃先を後方に引きながら切断すると切断面が整えられることから理解される。
【００４９】
［加圧部材の位置保持機構］
上述の駆動回転部材１３ｄ、１３f は、図５（ａ）に基づいて前述したように待機位置（ホームポジション）ＰＳが上死点Ｐ１の手前側に所定角度（θ）変位した位置に設定してある。これは前述の加圧プレート２１に作用する加圧スプリング１８の付勢力が駆動回転方向（反時計方向方向）と逆回転方向に作用するようにするためである。これによって左右一対の駆動回転部材１３ｄ、１３ｆは待機位置ＰＳで駆動モータＭが停止した状態で加圧スプリング１８の作用を駆動回転方向と逆回転方向に受けることとなる。従って待機位置ＰＳで加圧スプリング１８の付勢力によって駆動回転部材１３は図示時計方向に回転し可動切断刃２５と加圧プレート２１が降下することがある。そこで図示の装置は駆動回転部材１３ｄ（駆動側）と１３ｆ（従動側）との一方にロック手段（運動規制手段；以下同様）３５が設けてある。
【００５０】
上記運動規制手段３５は、（１）上記駆動回転部材１３ｆに配置された回転係止爪、又は（２）上記駆動回転部材１３ｆの回転軸１３ｙに配置された一方向回転クラッチ。又は（３）上記駆動回転部材１３ｆに配置された制動部材（ブレーキシュ）で構成される。図４Ａ乃至図４Ｃに示す運動規制手段３５は従動側の駆動回転部材１３ｆに配置されたロック手段で構成されている。このロック手段３５は駆動回転部材１３が待機位置ＰＳから下方に移動しないように図４Ａ時計方向の回転（逆転）を禁止する回転係止爪３５ａで構成されている。この回転係止爪３５ａは戻しバネ３５ｂでストッパ３５ｃに位置規制され、駆動回転部材１３ｆの反時計方向（駆動回転方向）への回転は許容するが時計方向（反駆動回転方向）への回転は禁止するように配置されている。これによって待機位置ＰＳに位置する可動切断刃２５と加圧プレート２１が加圧スプリング１８の付勢力で切断方向に降下するのを禁止している。
【００５１】
この他、運動規制手段としては駆動回転部材１３ｆの回転軸１３ｙに駆動方向の回転を許容する一方向回転クラッチを内蔵しても良く、同様に駆動回転部材１３ｆにブレーキシュを摺接しても良い。
【００５２】
以上のように構成された可動切断刃２５の作用について図５及び図６に従って説明する。図５（ｂ）は可動切断刃２５が上方待機位置に退避した状態（断裁待機状態）を示す。このとき駆動側に位置する駆動回転部材１３ｄは上死点Ｐ１に位置し、可動切断刃２５と加圧プレート２１は紙載台１５上の紙葉面から上方に退避している。この待機状態で紙葉束を紙載台１５に給送セットする。次いで駆動モータＭを起動して駆動回転部材１３ｄ、１３ｆを反時計方向に回転すると、可動切断刃２５は上死点Ｐ１から徐々に下方に移動し、これと係合している加圧プレート２１も下降する。そして駆動回転部材１３ｄが図示Ｐ２点に至ると加圧プレート２１の下端面（紙圧面）２１ｐが紙葉面を押圧する。次いで更に駆動回転部材１３ｄ，１３ｆが図示Ｐ３点に移動すると可動切断刃２５は紙葉面の切断を開始する。
【００５３】
駆動回転部材１３ｄ,１３ｆが図６（ａ）の図示Ｐ３点からＰ４点に移動する間、可動切断刃２５は同図左側に移動しながら下降し、刃先部材２５ｃは紙葉束を押しながら内部に進入する。次いで駆動回転部材１３ｄ，１３ｆが図６（ｂ）のＰ４点（変曲点）を超えると可動切断刃２５は同図右側に移動しながら紙葉束の内部に深く進入して切断することとなる。そして可動切断刃２５が下死点Ｐ５（図６（ｃ）の状態）に到達すると紙葉束の切断が終了する。
【００５４】
［可動切断刃の交換機構］
上述のように構成された可動切断刃２５は、ベースプレート（装置フレーム）１０に駆動回転部材１３ｄ、１３ｆを介して支持（マウント）されている。このとき前述の駆動モータＭは装置フロント側に面するように配置されている。これと同時に可動切断刃２５は紙載台１５上の紙葉面に対して刃先が傾斜するように配置され、この傾斜は紙葉面に対して装置フロント側が低くリア側に漸次高くなるように形成されている。これは可動切断刃２５を交換する際に装置フロント側に引き出すようにするためであり、切断刃はフロント側が幅広で、リア側が幅狭に構成されているため、その交換が容易で、且つ安全である。
【００５５】
［可動切断刃の交換機構］
上記可動切断刃２５は紙載台１５上の紙葉類Ｐを一端から他端に向かって徐々に切断するように上下断裁方向（図１Ｚ方向）に所定角度（α＞０度）傾斜して配置してある。そこで可動切断刃２５と固定定切断刃２８を切断線方向で互いが交差するように一方が他方に対して断裁線方向に所定角度（β）傾斜して対向配置する。図１１に示す可動切断刃２５は切断線ＣＬと一致するように配置した固定切断刃２８に対して所定角度（β＞０度）傾斜して配置されている。これと同時に断裁線ＣＬと直交する断裁紙葉の紙面方向に可動切断刃又は固定切断刃を位置移動可能に構成する。
【００５６】
このように切断線ＣＬに対して可動切断刃２５と固定切断刃２８の少なくとも一方を所定角度（β）傾斜して互いの刃先が交差するように構成し、固定切断刃２５と可動切断刃２８の一方を断裁紙葉の紙面方向に位置移動可能に構成する。これによって可動切断刃２５で紙葉類Ｐを一端から他端に向かって徐々に切断する際に、紙葉類Ｐを切断する切断点ｏｐ（図１１（ａ）参照）で可動切断刃２５と固定切断刃２８の刃先は確実に摺接（接合）することとなる。
【００５７】
紙葉類Ｐを一端から他端に向かって徐々に切断するときの可動切断刃２５と固定切断刃２８の関係を図１１に従って説明する。可動切断刃２５で紙葉類Ｐを切断点ｏｐ１からｏｐ２に向かって徐々に切断するとき、紙葉類Ｐは切断長さＬｘ１だけ切断される。このとき固定切断刃２８を紙面方向に距離Ｌｙ１分移動する。この距離Ｌｙ１は式１（Ｌｙ１＝Ｌｘ１×tanβ），式２（Ｌｙ２＝Ｌｘ２×tanβ）で算出される。つまり紙葉類Ｐを一端Ｐａから他端Ｐｚに向かって徐々に切断する際に固定切断刃２８を図１１（ａ）に示すＬｙ１，Ｌｙ２分移動し、その移動量は上述の式１、式２で算出される量とする。すると紙載台１５上の紙葉類Ｐは切断線ＣＬに沿って直線的に切断されることとなる。
尚、図１１では切断点ｏｐの移動に伴って固定切断刃２８を紙面方向に位置移動する場合を示したが、可動切断刃２５を紙面方向に位置移動するように構成しても良く、この場合には可動切断刃２５を図示のものと反対方向に移動する。
【００５８】
次に可動切断刃２５又は固定切断刃２８を紙葉類Ｐの紙面方向に位置移動する構成について説明する。図１２には固定切断刃２８を移動する場合を示している。前述の図７、８で説明したように固定切断刃２８は紙載台１５に一体に取付けられ（以下この両者を総称して「紙載台ユニット１５Ｕ」という）ている。この紙載台ユニット１５Ｕはベースプレート（装置フレーム）１０に断裁紙葉の紙面方向（図１に示すＹ方向）に位置移動可能に取り付けられている。そしてベースプレート１０と紙載台ユニット１５Ｕとの間には、紙載台ユニット１５Ｕを可動切断刃２５側に付勢する付勢手段（圧縮バネ）１６が設けられ、固定切断刃２８を可動切断刃２５に摺接するように弾圧している。
【００５９】
そこで上述の可動切断刃２５で紙葉類Ｐを切断線ＣＬに沿って紙葉類の一端Ｐａから他端Ｐｚに向かって徐々に切断する際に、切断点ｏｐ移動に伴って上述の紙載台ユニット１５Ｕを紙面方向に前進又は後退させる構成について説明する。図１２は紙載台ユニット１５Ｕをカム手段（傾斜カム面）１５１で平行移動する場合を示す。また図１３は紙載台ユニット１５Ｕをガイド溝１５２で平行移動する場合を示す。また図１４は紙載台ユニット１５Ｕをカム手段１５３で回動移動する場合を示す。順次その構成について説明する。
【００６０】
図１１及び図１２に示す紙載台ユニット１５Ｕは、前述したようにベースプレート１０の断裁開口１２に紙葉面方向に位置移動可能に支持されている。この紙載台ユニット１５Ｕは前述の左右一対のガイド部材１７Ｒ、１７Ｌを一体に備え、このガイド部材１７Ｒ、１７Ｌとベースプレート１０との間には圧縮スプリングから構成される付勢手段１６が設けられている。この付勢手段１６によって紙載台ユニット１５Ｕは常時可動切断刃２５側に付勢されている。そこでこの紙載台ユニット１５Ｕを、これに載置した紙葉類Ｐが平行移動するように紙載台ユニット１５Ｕと可動切断刃２５との間には傾斜カム面１５１が設けられている。この傾斜カム面１５１は可動切断刃２５の切断開始位置側（図２における左端）に配置され、可動切断刃２５の受刃ホルダ２５ｈの下端部２５ｚと摺接するように配置されている。
【００６１】
この傾斜カム面１５１は図２に示すように受刃ホルダ２５ｈの下端部２５ｚと摺接するように左ガイド部材１７Ｌに設けてあり、右ガイド部材１７Ｒには設けられていない。このように断裁方向に所定角度（α）で傾斜した可動切断刃２５は図２左側が低く、右側が高くなるように傾斜し、この左側に位置する左ガイド部材１７Ｌに傾斜カム面１５１が配置してある。そこで図１１（ａ）に示すように切断点ｏｐ１のときには紙載台ユニット１５Ｕは図示Ｃｙ１に位置し、切断点ｏｐ２のときにはＣｙ２に、切断点ｏｐ３のときにはＣｙ３に位置するように傾斜カム面１５１が形成されている。
【００６２】
従って紙載台１５上にセットされている紙葉類Ｐは紙載台ユニット１５Ｕと共に後退移動する。このように傾斜カム面１５１は切断線ＣＬに沿って切断点ｏｐが移動するのに連動して紙載台ユニット１５Ｕを位置移動させる。尚この場合に紙載台ユニット１５Ｕと紙葉類Ｐに作用する前述の加圧プレート２１も紙面方向に同一量位置移動し、その運動は前述の加圧スプリング１８との間のガタつき（クリアランス）によって得られる。つまり図１１に示すようにベースプレート１０と紙載台ユニット１５Ｕとの間にはギャップＧａが形成され、このギャップＧａは紙葉切断初期（同図（ａ）の状態）にはＧａ１に形成され、紙葉切断終期（同図（ｂ）の状態）にはＧａ２に形成され、このギャップはＧａ１＞Ｇａ２に設定されている。
【００６３】
次に図１３に示す紙載台ユニット１５Ｕを紙面方向に前進又は後退させるための構成について説明する。同図の紙載台ユニット１５Ｕは装置フレーム（前述のベースプレート）１０に形成したガイド溝１５２によって平行移動する構成を採用している。ベースプレート１０には紙載台ユニット１５Ｕを嵌合支持するガイド溝１５２が形成され、このガイド溝１５２は紙葉面と同一方向に配置されている。そしてガイド溝１５２にはスライドコロ１５２ａが嵌合され、このスライドコロ１５２ａは紙載台１５の底壁に固定されている。
【００６４】
従って紙載台ユニット１５Ｕはガイド溝１５２に沿って平行姿勢で位置移動可能に支持されることとなる。また、加圧プレート２１は紙載台ユニット１５Ｕのガイド部材１７Ｒ、１７Ｌに嵌合された状態で紙面方向（Ｙ方向）に位置動する。このとき加圧プレート２１とベースプレート１０との間に配置されている前述の加圧スプリング１８は、加圧プレート２１の移動に追従して揺動するように構成されている。
【００６５】
次に図１４に示す紙載台ユニット１５Ｕを紙面方向に前進又は後退させるための構成について説明する。同図の紙載台ユニット１５Ｕは装置フレーム（前述のベースプレート）１０に回動可能に軸支持され、可動切断刃２５によって切断点ｏｐが紙葉の一端Ｐａから他端Ｐｚに移動するのに追従して回動する構成を採用している。同図の紙載台ユニット１５Ｕは装置フレーム（前述のベースプレート）１０に支軸１５３で回動するように構成されている。そして紙載台１５には傾斜カム面１５５が設けてあり、可動切断刃２５のホルダ２５ｈと係合して支軸１５３を中心に紙載台ユニット１５Ｕが図示のように回動するように構成してある。従って前述のものと同様に構成された可動切断刃２５で紙載台１５上の紙葉類Ｐをその一端Ｐａから他端Ｐｚに移動しながら切断する際に、その切断点ｏｐに追随して紙載台１５は支軸１５３を中心に回動する。これによって紙葉類Ｐは所定の切断線に沿って直線的に切断されることとなる。
【００６６】
尚本発明にあって、可動切断刃２５と固定切断刃２８を互いに交差するように一方を他方に対して所定角度（β）傾斜する際に、固定切断刃２８を切断線ＣＬと一致するように配置して可動切断刃２５を角度（β）で傾斜させる場合について説明した。これと異なる方法として本発明は可動切断刃２５を切断線ＣＬと一致するように配置して固定切断刃２８を角度（β）で傾斜させるように構成しても良い。
【００６７】
また、本発明にあって固定切断刃２８と可動切断刃２５とは、それぞれ刃先が直線を描く平板形状に形成したが、の固定切断刃と可動切断刃の一方を所定曲率でカーブを描くように湾曲して形成しても良い。
【００６８】
［可動切断刃の異なる構成］
なお、本発明にあって可動切断刃を以下のように構成することも可能である。前述の図２に示す可動切断刃２５は、左右一対の駆動回転部材１３ｄ，１３ｆで揺動しながら下降する場合を示したが、この可動切断刃２５を図１５に示すように紙葉類Ｐに対して垂直方向に上下動するように構成しても良い。図２と同一の構成については、同一符号を付してその説明を省略するが図１５の装置は可動切断刃２５を左右のガイド部材１７Ｒ，１７Ｌに形成したガイド溝１７ｇに嵌合して垂直方向に上下動するように支持されている。そして、左右一対の駆動回転部材１３ｄ，１３ｆは、伝動ピン１３ｐを長孔軸受１４Ｒ、１４Ｌにそれぞれ嵌合してある。従って、この軸受構造で円弧運動する駆動回転部材１３ｄ，１３ｆによって可動切断刃２５は垂直方向にのみ上下動することとなる。その他の構成は図２と同一である。
【００６９】
［画像形成装置の構成］
次に上述の紙葉束断裁装置Ａを備えた後処理装置及び画像形成装置の構成について図１２に従って説明する。画像形成装置Ｂは複写機、プリンタ、印刷機など種々の構造のものが採用可能であるが静電印刷装置を図示する。この画像形成装置Ｂはケーシング５１内に給紙部５２と、印字部５３と、排紙部５４と制御部とが内蔵されている。給紙部５２にはシートサイズに応じた複数のカセット５２ａが準備され、制御部から指示されたサイズのシートが給紙経路５５に繰り出される。この給紙経路５５にはレジストローラ５５ａが設けられ、シートを先端揃えした後所定のタイミングで下流側の印字部５３に給送する。
【００７０】
印字部５３には静電ドラム５３ａが設けられ、この静電ドラム５３ａの周囲には印字ヘッド５３ｂ、現像器５３ｃ、転写チャージャ５３ｄなどが配置されている。そして印字ヘッド５３ｂは例えばレーザ発光器などで構成され、静電ドラム５３ａ上に静電潜像を形成し、この潜像に現像器５３ｃでトナーインクを付着し、転写チャージャ５３ｄでシートに印刷する。この印刷シートは定着器５６で定着され排紙経路５４ｂに搬出される。排紙部５４には上記ケーシング５１に形成した排紙口５８と排紙ローラ５９が配置されている。このように画像形成された印刷シートは排紙口５８から排紙ローラ５９で搬出される。
【００７１】
尚図示４５はスキャナユニットであり、上記印字ヘッド５３ｂで印刷する原稿画像を光学的に読み取る。その構造は一般的に知られているように原稿シートを載置セットするプラテン４６と、このプラテン４６に沿って原稿画像をスキャンするキャリッジ４７と、このキャリッジ４７からの光学像を光電変換する光学読取手段（例えばＣＣＤディバイス）４８とから構成されている。また図示のものは原稿シートを自動的にプラテン４６に給送する原稿送り装置４９がプラテン４６上に装備してある。
【００７２】
［製本装置（シート取扱い装置）の構成］
次に上述の画像形成装置Ｂの下流側には製本装置Ｃが連結され、画像形成されたシートを束状に部揃えし、この束状に部揃えした紙葉束をステープル、接着テープ、接着糊などで綴じ合わせて製本処理する。この製本処理後の紙葉束を前述の紙葉束断裁装置Ａで断裁揃えして排紙スタッカに収納する。図１６に示す製本装置Ｃは束状に部揃えした紙葉束の中央をステープル綴じして綴じ合わせ、この中綴じした紙葉束を折り畳んで冊子状に製本し、その後折り畳み先端を断裁して揃える装置を示す。
【００７３】
そこで画像形成装置Ｂの排紙口５８に連なる搬入経路６１が設けられ、この搬入経路６１の経路排紙口６１ａの下流側に集積トレイ６２が配置されている。このトレイにはシートを排紙方向前後に移送するスイッチバックローラ６２ａとシート後端を規制する後端規制部材６２ｂが備えられている。上記スイッチバックローラ６２ａは径路排紙口６１ａからのシートを排紙方向にトレイ先端側に搬送し、シート後端がトレイ上に進入した後は排紙方向と逆方向にシートを移送して後端規制部材６２ｂに突き当てて位置決めする。また上記後端規制部材６２ｂはトレイ上に突出した位置とトレイから退避した位置との間で揺動自在に構成され、電磁ソレノイドなどのシフト手段（図示せず）に連結されている。そして上記集積トレイ６２には集積したシート束を下流側に搬出する後端押し出し部材６３が設けられている。尚集積トレイ６２には図示しないサイド整合部材が配置され径路排紙口６１ａから進入するシートの搬送直交方向を位置決め整合するようになっている。従って径路排紙口６１ａからのシートはトレイ上に搬入され、そのシート後端を後端規制部材６２ｂに規制された状態で束状に集積される。その後、このシート束は後端規制部材６２ｂが集積トレイ６２から退避した状態で後端押し出し部材６３によって下流側に搬出されることとなる。
【００７４】
上記集積トレイ６２の下流側には製本経路６４が連設され、この製本経路６４には中綴じステープラ６５が配置されている。この中綴じステープラ６５の構造は詳述しないがシート束にステップル針を刺入して先端を折り曲げるユニットで構成され、ステップル針を刺入する上部ユニットと先端を折曲げる下部ユニットがシート束を移送する製本経路６４を挟んで上下に配置されている。製本経路６４にはシート束の先端を係止する第１ストッパ６４ａと第２ストッパ６４ｂが設けられている。第１ストッパ６４ａは製本経路６４に出没自在の可動部材で構成され、シート束の先端を係止した状態で中綴じステープラ６５がシート束の中央に位置するように配置されている。従って集積トレイ６２に集積したシート束は後端押し出し部材６３で製本経路６４に移送され、その先端を第１ストッパ６４ａで係止された状態で中綴じステープラ６５によって綴じられることとなる。
【００７５】
上述のように中綴じ製本されたシート束は上記第１ストッパ６４ａが製本経路６４から退避した後、下流側の第２ストッパ６４ｂに係止される。この状態でシート束の中央（ステップル綴じ位置）を折り曲げるように折ロール６６ａと中折ナイフ６６ｂが配置されている。この中折ナイフ６６ｂは矢視方向に上下動自在のブレードで構成され製本経路中のシート束を折ロール６６ａに案内する。また折ロール６６ａは一対のロールで構成されシート束中央を折曲げて下流側の排紙経路６７に移送するようになっている。
【００７６】
上記折ロール６６ａの下流側に配置された排紙経路６７はスイッチバック経路で構成され、シートを断裁経路６８に案内する。図示６７ａはスイッチバックローラであり、６７ｂは中間トレイである。このように構成された断裁経路６８には断裁装置Ａが配置されている。この断裁装置Ａは図１で説明した装置であり、その作用は後述する。また、上記断裁経路６８にはシート束を移送するベルト搬送手段６９とグリップ回転手段７０が配置されている。
【００７７】
以上の構成において、画像形成装置Ｂで画像形成されたシートは集積トレイ６２に束状に集積され整合される。そこで製本装置Ｃに備えられた制御ＣＰＵ（不図示）は画像形成装置Ｂからジョブ終了信号を受けると、後端規制部材６２ｂをトレイ外に退避させて後端押し出し部材６３でシート束を下流側の製本経路６４に移送する。そしてこの製本経路中の第１ストッパ６４ａにシート束の先端を突き当てて停止させる。この状態で中綴じステープラ６５を作動してシート束の中央（中折位置）をステップル綴じする。次いで制御ＣＰＵは第１ストッパ６４ａを経路外に退避させシート束を更に下流側の第２ストッパ６４ｂに突き当てて停止させる。するとシート束の中央（ステップル綴じ位置）は折ロール６６ａに臨み、この状態で中折ナイフ６６ｂを図示矢印方向に移動させる。するとシート束はその中央を折り曲げられながら折ロール６６ａに案内される。そこで折ロール６６ａを回転駆動するとシート束は中央を折り曲げられ下流側の排紙経路６７に移送される。
【００７８】
このように排紙経路６７に導かれたシート束は搬送方向を反転して断裁経路６８に送られる。断裁経路６８ではこのシート束をベルト搬送手段６９でスイッチバックさせて先端位置決めする。この先端位置決めは可動切断刃２５を待機位置に退避させた状態でシート束を図８右側に搬送してシート束全体を断裁経路６８に進入させる。そこでベルト搬送手段６９でシート束を同図左側にバックさせ所定の切断線ＣＬが切断刃の位置に一致するようにシート束を位置決めする。次いで制御ＣＰＵはグリップ回転手段７０でシート束をニップし、次いでプレス手段２０でシート束を押圧保持する。そこで可動切断刃２５を所定方向に移動させる。この断裁の状態は先に図５及び図６で説明した手順でシート束の端縁を断裁する。
【００７９】
次にシート束の小口部を断裁した後、制御ＣＰＵはプレス手段２０を押圧解除してグリップ回転手段７０を作動させて例えば９０度シート束を回転させ天部を切断位置に臨ませる。このシート束の回転後シート束を切断線ＣＬに所定量送る。このシート束の移送はグリップ回転手段７０を図示右側に移動するか或いはベルト搬送手段６９で送る。その後このシート束の天部を断裁した後、同様に小口部を断裁する。そしてシート束の３方向の断裁が終了すると制御ＣＰＵはベルト搬送手段６９でシート束を排紙スタッカ７１に搬出する。
【００８０】
なお、図示の製本装置Ｃは中綴じステープラ６５で製本綴じする場合を示したが、これは束状に集積したシート束の端面に接着剤を塗布して表紙シートでくるみ綴じ（くるみ綴じ製本）、或いは表紙シートで表装することなく天糊製本しても良いことは勿論である。
【図面の簡単な説明】
【００８１】
【図１】本発明に係わる紙葉束断裁装置の全体構成を示す斜視図。
【図２】図１の装置の正面構成を示す説明図。
【図３】図１の装置の背面構成を示す説明図。
【図４Ａ】図１の装置に於ける断裁縁プレス手段の構成を示す説明図。
【図４Ｂ】プレス手段と可動切断刃の動作状態説明図であり、（ａ）は待機位置にあり状態を示し、（ｂ）は上死点にある状態を示し、（ｃ）はプレス状態図。
【図４Ｃ】プレス手段と可動切断刃の動作状態説明図であり、（ｄ）は切断開始点を示し、（ｅ）は切断終了点を示し、（ｆ）はプレス解除点を示す。
【図５】図１の装置における駆動回転部材の動作状態の説明図であり、（ａ）は運動軌跡の説明図であり、（ｂ）は切断刃が待機位置（上死点）の状態図。
【図６】図１の装置における紙葉束の切断状態の説明図であり、（ａ）は切断刃で紙葉を切断する初期状態を示し、（ｂ）は切断刃で紙葉を切断する途中の状態を示し、（ｃ）は切断刃で紙葉の切断を終了した状態をそれぞれ示す。
【図７】図１の装置における縦断面構造の説明図。
【図８】図１の装置における固定切断刃と可動切断刃の位置決め構造を示す組み立て分解説明図。
【図９】図８の構成における固定切断刃と可動切断刃の位置決め状態の説明図であり、（ａ）はプレス部材が退避位置に待機した状態を、（ｂ）はプレス部材が紙載台上の紙葉を押圧した状態を示す。
【図１０】図１の装置における断裁縁プレス手段の構造説明図。
【図１１】図１の装置における紙載台ユニットの構造を示し、（ａ）は紙葉の一端から他端に徐々に切断するときの紙載台の動きを示す説明図であり、（ｂ）は切断点ＯＰ１における紙載台をシフトする状態を、（ｃ）は切断点ＯＰ２における紙載台をシフトする状態を、（ｄ）は切断点ＯＰ３における紙載台をシフトする状態をそれぞれ示す。
【図１２】図１１の装置における紙載台ユニットの断面構成を示す説明図であり、（ａ）は切断初期時の断面状態を、（ｂ）は切断終了時の断面状態をそれぞれ示す。
【図１３】図１の装置における紙載台ユニットの図１１と異なる形態を示す説明図。
【図１４】図１の装置における紙載台の図１１及び図１２と異なる形態を示す説明図であり、（ａ）は紙載台ユニットの平面構成を、（ｂ）は紙載台ユニットの断面構成を示す。
【図１５】図２の装置と異なる断裁装置の構成を示す説明図。
【図１６】本発明に係わる紙葉類断裁装置を内蔵したフィニッシャ装置の構成説明図。
【符号の説明】
【００８２】
Ａ          紙葉束断裁装置（トリマーユニット）
Ｍ          駆動モータ
ＣＬ        切断線
１０        装置フレーム（ベースプレート）
１０ｒ      折曲片
１１        長孔
１２        断裁開口
１３ｄ      駆動回転部材（駆動側）
１３ｆ      駆動回転部材（従動側）
１３ｓ      軸受スリーブ
１５        紙載台（紙載台アセンブリー）
１６        付勢手段
１７Ｒ      ガイド部材
１７Ｌ      ガイド部材
１７ｇ      ガイド溝
１８        加圧スプリング
１９        押さえ部材
２０        プレス手段
２１        加圧プレート
２１ｋ      係合片
２１ｐ      下端面（紙圧面）
２５        可動切断刃
２５ｑ      潤滑性塗料
２５ｗ      凹陥溝
２５ｘ      上端縁
２５ｚ      下端部
２８        固定切断刃
２９        伝動チェーン
３０        スプロケット（３０ａ，３０ｂ）
３５        ロック手段（運動規制手段）
３５ａ      回転係止爪
３５ｂ      戻しバネ
３５ｃ      ストッパ
４５        スキャナユニット
４９        原稿送り装置
６２        集積トレイ
７１        排紙スタッカ
１５１      傾斜カム面
１５２      ガイド溝
１５２ａ    ガイドコロ
１５３      軸受ピン
【図１】
0005384842.tif 000002
【図２】
0005384842.tif 000003
【図３】
0005384842.tif 000004
【図４Ａ】
0005384842.tif 000005
【図４Ｂ】
0005384842.tif 000006
【図４Ｃ】
0005384842.tif 000007
【図５】
0005384842.tif 000008
【図６】
0005384842.tif 000009
【図７】
0005384842.tif 000010
【図８】
0005384842.tif 000011
【図９】
0005384842.tif 000012
【図１０】
0005384842.tif 000013
【図１１】
0005384842.tif 000014
【図１２】
0005384842.tif 000015
【図１３】
0005384842.tif 000016
【図１４】
0005384842.tif 000017
【図１５】
0005384842.tif 000018
【図１６】
0005384842.tif 000019